(57)【要約】【構成】  転写装置１０には、一次転写ローラ３８を一次転写ベルト３２に対して離接させる第１離接機構８０と、二次転写ユニット４８を一次転写ユニット２２に対して離接させる第２離接機構９２とを含み、第１離接機構８０と第２離接機構９２とは、単一の駆動モータ６６からの回転力を用いて駆動される。【効果】  転写装置１０において動作モードを切り換えるための駆動源の数を減らし、製造コストの低減および装置の小型化を図る。【選択図】  図４
2016148708.tif 000002
【特許請求の範囲】
【請求項１】
互いに並設された複数の像担持体から一次転写ベルトにトナー像を一次転写する一次転写ユニットと、当該一次転写ベルトから記録媒体に前記トナー像を二次転写する二次転写ユニットとを有する転写装置であって、
回転駆動源、
前記回転駆動源からの回転力を、第１離接方向に変換して前記一次転写ユニットが有する複数の一次転写ローラに伝達することによって、前記一次転写ベルトに対して前記複数の一次転写ローラを離接させる第１離接機構、および
前記回転駆動源からの回転力を、第２離接方向に変換して前記二次転写ユニットに伝達することによって、前記一次転写ベルトに対して前記二次転写ユニットを離接させる第２離接機構を備える、転写装置。
【請求項２】
前記第１離接機構および前記第２離接機構は、前記回転駆動源の駆動力によって回転する単一の駆動軸で駆動される、請求項１記載の転写装置。
【請求項３】
前記複数の一次転写ローラは、ブラック用一次転写ローラと、複数のカラー用一次転写ローラとを含み、
前記第１離接機構は、前記ブラック用一次転写ローラを前記一次転写ベルトに対して離接させるブラック用離接部材と、前記複数のカラー用一次転写ローラを前記一次転写ベルトに対して離接させるカラー用離接部材とを有し、
前記第２離接機構は、前記二次転写ユニットを前記一次転写ベルトに対して離接させる二次転写用離接部材を有する、請求項１または２記載の転写装置。
【請求項４】
前記ブラック用離接部材および前記カラー用離接部材のそれぞれは、前記回転駆動源からの回転力を第１離接方向に変換して伝達する第１カム部材および第１リンク部材を含み、
前記二次転写用離接部材は、前記回転駆動源からの回転力を第２離接方向に変換して伝達する第２カム部材および第２リンク部材を含む、請求項３記載の転写装置。
【請求項５】
前記ブラック用離接部材の前記第１リンク部材および前記カラー用離接部材の前記第１リンク部材のそれぞれは、前記ブラック用離接部材および前記カラー用離接部材のいずれか一方の前記第１カム部材によって駆動される、請求項４記載の転写装置。
【請求項６】
前記ブラック用離接部材の前記第１リンク部材または前記カラー用離接部材の前記第１リンク部材のいずれか一方と、前記第２リンク部材とは、前記第２カム部材によって駆動される、請求項４記載の転写装置。
【請求項７】
前記第１カム部材は、一方向にのみ回転する一次転写用ワンウェイクラッチを介して前記回転駆動源に接続され、
前記第２カム部材は、前記一次転写用ワンウェイクラッチが回転する方向の逆方向にのみ回転する二次転写用ワンウェイクラッチを介して前記回転駆動源に接続される、請求項４ないし６のいずれかに記載の転写装置。
【請求項８】
前記二次転写用離接部材は、前記二次転写ユニットに設けられるロッド部材を含む、請求項３ないし７のいずれかに記載の転写装置。
【請求項９】
請求項１ないし８のいずれかに記載の転写装置を備える、画像形成装置。
【発明の詳細な説明】
【技術分野】
【０００１】
この発明は転写装置およびそれを備える画像形成装置に関し、特にたとえば、互いに並設された複数の像担持体から一次転写ベルトにトナー像を一次転写する一次転写ユニットと、一次転写ベルトから記録媒体に前記トナー像を二次転写する二次転写ユニットとを有する、転写装置およびそれを備える画像形成装置に関する。
【背景技術】
【０００２】
従来、転写装置において一次転写ベルトを介して記録媒体にトナー像の転写を行う、所謂中間転写方式を採用した画像形成装置がある。この中間転写方式のカラー画像形成装置では、一次転写ベルト上の各色のトナー像のずれ量（レジスト調整値）を測定して求め、各色のトナー像がずれないように各像担持体上の各潜像の位置を補正する自動レジスト調整が行われる。
【０００３】
この自動レジスト調整は、二次転写ユニットを一次転写ベルトから離間させた状態で行う必要があり、転写装置には、二次転写ユニットを一次転写ベルトから離接させる離接機構が設けられる。
【０００４】
たとえば、図１４に示すように、従来の転写装置では、一次転写ユニットにおいて動作モードを切り換えるモータ（駆動源）とは別に、二次転写ユニットを一次転写ベルトから離間させる離接機構を駆動させるための専用のモータが設けられる。
【０００５】
また、特許文献１には、一次転写ベルトの駆動ローラに空転可能に配設された偏芯カムを設け、偏芯カムを回転させて所定の回転角度位置で停止させるのに伴って、偏芯カムを二次転写ローラに押し当てて、二次転写ローラを一次転写ベルトから離間させ、転写ニップ圧を調整するようにした転写装置が開示される。
【先行技術文献】
【特許文献】
【０００６】
【特許文献１】特開２０１０−１９９６４号公報
【発明の概要】
【発明が解決しようとする課題】
【０００７】
しかしながら、この従来の構成では、新たな駆動源を設けるスペースが必要になり、製造コストの増大および装置の大型化につながってしまう。
【０００８】
また、特許文献１に開示された構成では、一次転写ベルトの駆動ローラに配設された偏芯カムは転写ニップ圧を調整するだけに留まり、二次転写ユニットを一次転写ベルトから離間させる離接機構を駆動させるための専用の機構および駆動手段が設けられる。つまり、一次転写ベルトの駆動ローラに配設された偏芯カムだけでは、転写装置における各動作モードの切り換えができない。
【０００９】
それゆえに、この発明の主たる目的は、新規な、転写装置およびそれを備える画像形成装置を提供することである。
【００１０】
この発明の他の目的は、転写装置における動作モードを切り換えるための駆動源の数を減らし、製造コストの低減および装置の小型化を図ることができる、転写装置およびそれを備える画像形成装置を提供することである。
【課題を解決するための手段】
【００１１】
第１の発明は、互いに並設された複数の像担持体から一次転写ベルトにトナー像を一次転写する一次転写ユニットと、一次転写ベルトから記録媒体にトナー像を二次転写する二次転写ユニットとを有する転写装置であって、回転駆動源、第１離接方向に変換して一次転写ユニットが有する複数の一次転写ローラに伝達することによって、一次転写ベルトに対して複数の一次転写ローラを離接させる第１離接機構、および回転駆動源からの回転力を、第２離接方向に変換して二次転写ユニットに伝達することによって、一次転写ベルトに対して二次転写ユニットを離接させる第２離接機構を備える転写装置である。
【００１２】
第１の発明では、転写装置は、第１離接機構および第２離接機構を含む。第１離接機構は、回転駆動源からの駆動力を、一次転写ユニットが有する複数の一次転写ローラを一次転写ベルトに対して離接させる方向である第１離接方向に変換して伝達することによって、一次転写ローラが一次転写ベルトを押圧する第１押圧位置と、一次転写ローラが一次転写ベルトから離れる第１離間位置との間で、一次転写ローラを離接させる。第２離接機構は、回転駆動源からの駆動力を、二次転写ユニットを一次転写ユニットに対して離接させる方向である第２離接方向に変換して伝達することによって、二次転写ユニットが一次転写ユニットを押圧する第２押圧位置と、二次転写ユニットが一次転写ユニットから離れる第２離間位置との間で、二次転写ユニットを離接させる。
【００１３】
第１の発明によれば、複数の一次転写ローラを離接させる第１離接機構と、二次転写ユニットを離接させる第２離接機構とが単一の回転駆動源からの回転力を用いる。つまり、第１離接機構および第２離接機構は同じ回転駆動源を共用する。このため、転写装置における動作モードを切り換えるための駆動源の数を減らし、製造コストの低減および装置の小型化を図ることができる。
【００１４】
第２の発明は、第１の発明に従属する転写装置であって、第１離接機構および第２離接機構は、回転駆動源の駆動力によって回転する単一の駆動軸で駆動される。
【００１５】
第２の発明によれば、第１離接機構および第２離接機構が回転駆動源の駆動力によって回転する単一の駆動軸で駆動されるので、ギヤまたは従動部材等の動力伝達部材の数を減らし、さらなる製造コストの低減および動力伝達構造の簡略化を図ることができる。
【００１６】
第３の発明は、第１または第２の発明に従属する転写装置であって、複数の一次転写ローラは、ブラック用一次転写ローラと、複数のカラー用一次転写ローラとを含み、第１離接機構は、ブラック用一次転写ローラを一次転写ベルトに対して離接させるブラック用離接部材と、複数のカラー用一次転写ローラを一次転写ベルトに対して離接させるカラー用離接部材とを有し、第２離接機構は、二次転写ユニットを一次転写ベルトに対して離接させる二次転写用離接部材を有する。
【００１７】
第３の発明では、複数の像担持体は、ブラック用像担持体と、複数のカラー用像担持体とを含む。ブラック用一次転写ローラは、ブラック用像担持体に対向し、複数のカラー用一次転写ローラは、それぞれ複数のカラー用像担持体に対向する。
【００１８】
第３の発明によれば、第１離接機構が、ブラック用一次転写ローラを一次転写ベルトに対して離接させるブラック用離接部材と、複数のカラー用一次転写ローラを一次転写ベルトに対して離接させるカラー用離接部材とを有するので、第１の発明と同様の作用効果を奏しながら、モノクロ印字およびカラー印字の両方に対応可能になる。
【００１９】
第４の発明は、第３の発明に従属する転写装置であって、ブラック用離接部材およびカラー用離接部材のそれぞれは、回転駆動源からの回転力を第１離接方向に変換して伝達する第１カム部材および第１リンク部材を含み、二次転写用離接部材は、回転駆動源からの回転力を第２離接方向に変換して伝達する第２カム部材および第２リンク部材を含む。
【００２０】
第４の発明では、ブラック用離接部材は、回転駆動源からの回転力を、第１離接方向に変換するブラック用カム部材およびブラック用リンク部材を含み、カラー用離接部材は、回転駆動源からの回転力を、第１離接方向に変換するカラー用カム部材およびカラー用リンク部材を含み、二次転写用離接部材は、回転駆動源からの回転力を、第２離接方向に変換する二次転写用カム部材および二次転写用リンク部材を含む。
【００２１】
第４の発明によれば、ブラック用離接部材およびカラー用離接部材のそれぞれが、回転駆動源からの回転力を第１離接方向に変換する第１カム部材および第１リンク部材を含み、二次転写用離接部材は、回転駆動源からの回転力を第２離接方向に変換する第２カム部材および第２リンク部材を含むので、回転駆動源からの駆動力を簡単な構造で第１離接方向または第２離接方向に変換することができ、回転力の伝達構造を簡略化することができる。
【００２２】
第５の発明は、第４の発明に従属する転写装置であって、ブラック用離接部材の第１リンク部材およびカラー用離接部材の第１リンク部材のそれぞれは、ブラック用離接部材およびカラー用離接部材のいずれか一方の第１カム部材によって駆動される。
【００２３】
第５の発明によれば、ブラック用離接部材およびカラー用離接部材の第１リンク部材は、いずれか一方の第１カム部材によって駆動される。つまり、ブラック用離接部材およびカラー用離接部材は、一つのカム部材を共用するので、カム部材の数を減らし、さらなる製造コストの低減および動力伝達構造の簡略化を図ることができる。
【００２４】
第６の発明は、第４の発明に従属する転写装置であって、ブラック用離接部材の第１リンク部材またはカラー用離接部材の第１リンク部材のいずれか一方と、第２リンク部材とは、第２カム部材によって駆動される。
【００２５】
第６の発明によれば、ブラック用離接部材の第１リンク部材またはカラー用離接部材の第１リンク部材のいずれか一方と、第２リンク部材とは、第２リンク部材によって駆動される。つまり、ブラック用離接部材またはカラー用離接部材のいずれか一方と、二次転写用離接部材とは、一つのカム部材を共用するので、カム部材の数を減らし、さらなる製造コストの低減および動力伝達構造の簡略化を図ることができる。
【００２６】
第７の発明は、第４ないし第６のいずれかの発明に従属する転写装置であって、第１カム部材は、一方向にのみ回転する一次転写用ワンウェイクラッチを介して回転駆動源に接続され、第２カム部材は、一次転写用ワンウェイクラッチが回転する方向の逆方向にのみ回転する二次転写用ワンウェイクラッチを介して回転駆動源に接続される。
【００２７】
第７の発明によれば、第１カム部材と、第２カム部材とが、それぞれ回転規制方向の異なる一次転写用ワンウェイクラッチと二次転写用ワンウェイクラッチとを介して回転駆動源に接続されるので、回転駆動源の回転方向を切り換えるだけで、容易に動作モードの切り換えを行うことができる。
【００２８】
第８の発明は、第３ないし第７のいずれかの発明に従属する転写装置であって、二次転写用離接部材は、二次転写ユニットに設けられるロッド部材を含む。
【００２９】
第８の発明では、ロッド部材は、棒状の部材であって、二次転写ユニットが有する二次転写ローラの軸受に取り付けられる。このロッド部材は、二次転写用離接部材のカム部材の回転に伴って、二次転写ユニットを第２離接方向に沿って移動させる。
【００３０】
第８の発明によれば、二次転写ユニットに設けられるロッド部材によって、簡単な構造で駆動力を伝達することができる。
【００３１】
第９の発明は、第１ないし第８のいずれかの発明の転写装置を備える画像形成装置である。
【００３２】
第９の発明によれば、第１の発明と同様の作用効果を奏し、回転駆動源の数を減らし、回転力の伝達構造を簡略化することができるので、製造コストの低減および省スペース化を実現できる。
【発明の効果】
【００３３】
この発明によれば、転写装置における動作モードを切り換えるための駆動源の数を減らし、製造コストの低減および装置の小型化を図ることができる。
【図面の簡単な説明】
【００３４】
【図１】図１は、この発明の第１実施例である転写装置を備える画像形成装置の全体的な構成を示す図解図である。
【図２】図２は、転写装置の構造を正面視で示す図解図である。
【図３】図３は、図２の転写装置の一部を拡大した拡大図である。
【図４】図４は、転写装置の構造を平面視で示す図解図である。
【図５】図５（Ａ）は、ブラック用カム部材の構造を示す図解図である。図５（Ｂ）は、カラー用カム部材の構造を示す図解図である。
【図６】図６は、ローラ作動アームの構造を示す図解図であり、（Ａ）は第１離間位置の場合を示し、（Ｂ）は第１押圧位置の場合を示す。
【図７】図７は、一次転写ユニットにおける動作モードの一例を示す表である。
【図８】図８は、６種類の動作モードを有する場合の転写装置全体における動作モードの一例を示す表である。
【図９】図９（Ａ）は、６種類の動作モードを有する場合のブラック用カム部材の溝の形状を示す図解図である。図９（Ｂ）は、６種類の動作モードを有する場合のカラー用カム部材の溝の形状を示す図解図である。図９（Ｃ）は、６種類の動作モードを有する場合の二次転写用カム部材の溝の形状を示す図解図である。
【図１０】図１０は、４種類の動作モードを有する場合の転写装置全体における動作モードの一例を示す表である。
【図１１】図１１は、第２実施例における、第１離接機構および第２離接機構の構造を平面視で示す図解図である。
【図１２】図１２は、第３実施例における、第１離接機構および第２離接機構の構造を平面視で示す図解図である。
【図１３】図１３は、第３実施例における、転写装置全体における動作モードを示す表である。
【図１４】図１４は、従来の転写装置の構造を平面視で示す図解図である。
【発明を実施するための形態】
【００３５】
［第１実施例］
図１は、この発明の第１実施例である転写装置を備える画像形成装置の全体的な構成を示す図解図である。転写装置の構造を正面視で示す図解図である。
【００３６】
図１および図２を参照して、この発明の第１実施例である転写装置１０は、感光体ドラム１２に形成されたトナー像を用紙（記録媒体）に転写するための転写装置であって、電子写真方式によって用紙に画像を形成する画像形成装置１００に用いられる。
【００３７】
詳細は後述するように、この転写装置１０では、モノクロ印刷モード、カラー印刷モードおよび自動レジスト調整モード等の全ての動作モードを単一の駆動モータ（回転駆動源）６６からの回転力で切り換える。
【００３８】
先ず、画像形成装置１００の構成について概略的に説明する。第１実施例の画像形成装置１００は、カラープリンタであって、電子写真方式によって用紙に多色または単色の画像を形成する。ただし、この発明に係る転写装置が適用される画像形成装置は、プリンタに限定される必要はなく、コピー機またはファクシミリ或いはこれらの機能を備えた複合機であってもよい。
【００３９】
図１に示すように、画像形成装置１００は、転写装置１０、感光体ドラム１２、現像装置１４、帯電器１６、クリーニングユニット１８、露光装置２０、定着ユニット２４およびレジスト調整用センサ６４等のコンポーネントを備え、給紙トレイ２６から搬送される用紙上に画像を形成し、画像形成済みの用紙を排紙トレイ２８に排出する。用紙上に画像を形成するための画像データとしては、外部コンピュータから入力される画像データが利用される。ただし、画像形成装置１００がスキャナ機能を備える場合には、外部から入力される画像データのみならず、スキャナによって原稿から読み取った画像データを利用することもできる。
【００４０】
上述の各コンポーネントは、画像形成装置１００の筐体１０２内に収容される。また、筐体１０２内には、ＣＰＵおよびメモリ等を含む制御部３０が設けられる。制御部３０は、画像形成装置１００の各部位に制御信号を送信し、画像形成装置１００に種々の動作を実行させる。
【００４１】
ここで、画像形成装置１００において扱われる画像データは、ブラック（Ｋ）、マゼンタ（Ｍ）、シアン（Ｃ）およびイエロー（Ｙ）の４色のカラー画像に応じたものである。このため、感光体ドラム１２、現像装置１４、帯電器１６およびクリーニングユニット１８のそれぞれは、各色に応じた４種類の潜像を形成するように４個ずつ設けられ、これらによって４つの画像ステーションが構成される。４つの画像ステーションは、一次転写ベルト３２の表面の走行方向（周回移動方向）に沿って一列に並んで配置され、一次転写ベルト３２の走行方向における下流側から、つまり二次転写ユニット４８に近い側から、ブラック用、マゼンタ用、シアン用およびイエロー用の順に配置される。
【００４２】
感光体ドラム１２は、導電性を有する円筒状の基体の表面に感光層が形成された像担持体であり、帯電器１６は、この感光体ドラム１２の表面を所定の電位に帯電させる部材である。また、露光装置２０は、レーザ出射部および反射ミラー等を備えたレーザスキャニングユニット（ＬＳＵ）として構成され、帯電された感光体ドラム１２の表面を露光することによって、画像データに応じた静電潜像を感光体ドラム１２の表面に形成する。現像装置１４は、感光体ドラム１２の表面に形成された静電潜像を４色（ＹＭＣＫ）のトナーによって顕像化するものである。また、クリーニングユニット１８は、現像および画像転写後における感光体ドラム１２の表面に残留したトナーを除去する。
【００４３】
続いて、転写装置１０の構成について具体的に説明する。転写装置１０は、上述のように、一次転写ユニット２２および二次転写ユニット４８を備える。
【００４４】
一次転写ユニット（中間転写ユニット）２２は、一次転写ベルト３２、駆動ローラ３４、従動ローラ３６、４つの一次転写ローラ３８および第１離接機構８０等を備え、感光体ドラム１２の上方に配置される。
【００４５】
一次転写ベルト３２は、駆動ローラ３４および従動ローラ３６等の複数のローラによって張架される無端帯状のベルトであって、その表面（外周面）が感光体ドラム１２の表面に当接するように配置される。一次転写ベルト３２は、駆動ローラ３４の回転駆動に伴い、所定方向（図１では反時計回り）に回転（周回移動）する。後述のように、この一次転写ベルト３２の表面には、感光体ドラム１２に形成されたトナー像が転写（一次転写）されることによって、トナー像が形成される。
【００４６】
駆動ローラ３４は、図示しない駆動部によってその軸線回りに回転可能に設けられる。従動ローラ３６は、一次転写ベルト３２の周回移動に伴って回転すると共に、一次転写ベルト３２に一定の張力を与えて一次転写ベルト３２の弛みを防止する。
【００４７】
一次転写ローラ３８は、一次転写ベルト３２を挟んで各色の感光体ドラム１２と対向する位置のそれぞれに配置され、一次転写ベルト３２の内周面に圧接されて一次転写ベルト３２の周回移動に伴い回転する。図示は省略するが、この一次転写ローラ３８には、転写バイアスを印加する転写電源が接続される。画像形成時には、感光体ドラム１２の表面に形成されたトナー像を構成するトナーの帯電極性とは逆極性の電圧が一次転写ローラ３８に印加される。これによって、感光体ドラム１２と一次転写ベルト３２との間に転写電界が形成され、この転写電界の作用によって、感光体ドラム１２に形成されたトナー像が一次転写ベルト３２の外周面に転写される。たとえば、カラー画像を形成する場合には、各感光体ドラム１２に形成された各色のトナー像が一次転写ベルト３２に順次重ねて転写されて、一次転写ベルト３２の外周面に多色のトナー像が形成される。各一次転写ローラ３８は、後述する第１離接機構８０によって、一次転写ローラ３８が一次転写ベルト３２を押圧する第１押圧位置と、一次転写ベルト３２から離れる第１離間位置との間で変位可能とされる。
【００４８】
なお、符号における文字Ｋ、Ｍ、ＣおよびＹは、それぞれ、ブラック（Ｋ）、マゼンタ（Ｍ）、シアン（Ｃ）およびイエロー（Ｙ）の４色の画像ステーションにおける構成要素に対応する。また、符号における文字Ｋ、Ｍ、ＣおよびＹは、構成要素を色別に区別する必要がある場合に付しており、区別が不要な場合は省略する。
【００４９】
また、駆動ローラ３４の近傍には、二次転写ベルト５０および二次転写ローラ５２等を備える二次転写ユニット４８が配置される。二次転写ユニット４８は、筐体１０２内に設けられた支持フレーム１０６に対して変位可能に取り付けられる。そして、この二次転写ユニット４８（厳密には二次転写ベルト５０）と一次転写ベルト３２との間に形成される二次転写ニップ部７０を用紙が通過することによって、一次転写ベルト３２に形成されたトナー像が用紙に転写される。
【００５０】
続いて、二次転写ユニット４８の構成について具体的に説明する。
【００５１】
図３は、図２の転写装置の一部を拡大した拡大図である。図３に示すように、二次転写ユニット４８は、二次転写ベルト５０、二次転写ローラ５２、駆動ローラ５４、従動ローラ５６、テンションローラ５８、バックアップローラ６０および第２離接機構９２を備える。二次転写ローラ５２、駆動ローラ５４、従動ローラ５６、テンションローラ５８およびバックアップローラ６０のそれぞれは、二次転写フレーム６２によって軸支される。また、支持フレーム１０６と二次転写フレーム６２との間には、第１圧縮ばね１０８が設けられる。
【００５２】
二次転写ベルト５０は、二次転写ローラ５２、駆動ローラ５４、従動ローラ５６、テンションローラ５８およびバックアップローラ６０に張架される無端帯状のベルトである。二次転写ベルト５０は、一次転写ベルト３２との間で二次転写ニップ部７０を形成し、駆動ローラ５４の回転駆動に伴い、所定方向（図２では時計回り）に回転（周回移動）する。
【００５３】
駆動ローラ５４は、図示しない駆動部によってその軸線回りに回転可能に設けられる。従動ローラ５６およびテンションローラ５８は、二次転写ベルト５０の周回移動に伴って回転すると共に、二次転写ベルト５０に一定の張力を与えて二次転写ベルト５０の弛みを防止する。
【００５４】
二次転写ローラ５２は、二次転写ベルト５０を挟んで一次転写ベルト３２に対向して配置される。二次転写ローラ５２が二次転写ベルト５０の内周面を押圧することによって、二次転写ベルト５０の外周面と一次転写ベルト３２の外周面とが所定圧で接触される。また、二次転写ローラ５２には、図示しない転写電源が接続される。画像形成時には、この転写電源によって二次転写ローラ５２に電圧（二次転写電圧）が印加される。これによって、二次転写ニップ部７０に転写電界が形成され、この転写電界の作用によって、一次転写ベルト３２の外周面に形成されたトナー像が二次転写ニップ部７０を通過する用紙に転写される。
【００５５】
また、バックアップローラ６０は、二次転写ローラ５２の用紙搬送方向における上流側において二次転写ベルト５０を張架する。このバックアップローラ６０は、二次転写ニップ部７０の幅（用紙搬送方向の長さ）を拡張する機能を有し、これによって転写性が向上される。
【００５６】
このような二次転写ユニット４８は、一次転写ベルト３２に対する自身の配置位置を変位可能に設けられる。この第１実施例では、二次転写ユニット４８は、第１圧縮ばね１０８によって一次転写ベルト３２側に向かって付勢される。また、二次転写ユニット４８は、後述する第２離接機構９２によって、二次転写ベルト５０が一次転写ベルト３２に当接する第２押圧位置と一次転写ベルト３２から離れる第２離間位置との間で変位可能とされる。
【００５７】
図１に戻って、定着ユニット２４は、ヒートローラおよび加圧ローラ等を備え、二次転写ユニット４８の上方に配置される。ヒートローラは、所定の定着温度となるように設定されており、ヒートローラと加圧ローラとの間の定着ニップ域を用紙が通過することによって、用紙に転写されたトナー像が溶融、混合および圧接されて、用紙に対してトナー像が熱定着される。
【００５８】
また、画像形成装置１００の筐体１０２内には、給紙トレイ２６に載置された用紙を二次転写ユニット４８および定着ユニット２４を経由させて排紙トレイ２８に送るための用紙搬送路が形成される。この用紙搬送路には、搬送ローラ４０,４２,４４およびレジストローラ４６等の用紙搬送手段が適宜配置される。
【００５９】
画像形成時には、給紙トレイ２６に載置された用紙が１枚ずつ用紙搬送路に導かれ、搬送ローラ４２によってレジストローラ４６まで搬送される。そして、レジストローラ４６によって、用紙の先端と一次転写ベルト３２上のトナー像の先端とが整合するタイミングで、一次転写ベルト３２と二次転写ベルト５０との間の二次転写ニップ部７０に用紙が搬送され、用紙上にトナー像が転写される。その後、定着ユニット２４を通過することによって用紙上の未定着トナーが熱で溶融して固着され、搬送ローラ４２,４４を経て排紙トレイ２８上に用紙が排出される。
【００６０】
また、一次転写ベルト３２の上方（二次転写ニップ部７０よりも下流側）には、レジスト調整用センサ６４が設けられる。レジスト調整用センサ６４は、レジスト調整用の所定パターンのパッチ画像から位置ズレに関する補正量を検出するためのセンサである。ここで、レジスト調整とは、例えば、複数色のトナーのそれぞれを用いて、一次転写ベルト３２上に各色の調整用のパターン画像（パッチ画像）を紙間に形成し、この形成された各色のパッチ画像の互いの位置関係を確認して各色の画像形成タイミングを調整することによって、自動的に各色の位置ズレを補正することである。このレジスト調整用センサ６４は、レジスト調整用のパターン画像を検出し易いように、一次転写ベルト３２に近接して配置される。
【００６１】
レジスト調整用センサ６４は、その筐体内に、発光素子としての半導体レーザ、集光用レンズ及び受光素子としてのフォトセンサを備える。半導体レーザは、一次転写ベルト３２のトナー像を読取るためのレーザ光を発生する。集光用レンズは、半導体レーザからの光を一次転写ベルト３２上に絞り込む。フォトセンサは、フォトトランジスタまたはフォトダイオードからなり、一次転写ベルト３２からの反射光を受光してその光量に応じた電気信号を制御部３０へと出力する。レジスト調整用センサ６４では、制御部３０の制御の下、半導体レーザのレーザ光を集光用レンズにて絞り込んで、一次転写ベルト３２の表面に照射し、その反射光をフォトセンサにて受光することによって、一次転写ベルト３２の表面に形成されたトナー像のパターン間隔をミクロンオーダで計測する。
【００６２】
次に、第１離接機構８０および第２離接機構９２の構成について説明する。
【００６３】
図４は、転写装置の構造を平面視で示す図解図である。図４に示すように、第１離接機構８０は、ブラック用カム部材８２、カラー用カム部材８４、ブラック用リンク部材８６、カラー用リンク部材８８および４つのローラ作動アーム９０Ｋ、９０Ｍ、９０Ｃ、９０Ｙ等を備える。ここで、ブラック用カム部材８２、ブラック用リンク部材８６およびローラ作動アーム９０Ｋは、ブラック用一次転写ローラ３８Ｋを一次転写ベルト３２に対して離接させるブラック用離接部材として機能する。また、カラー用カム部材８４、カラー用リンク部材８８およびローラ作動アーム９０Ｍ、９０Ｃ、９０Ｙは、複数のカラー用一次転写ローラ３８Ｍ、３８Ｃ、３８Ｙを一次転写ベルト３２に対して離接させるカラー用離接部材として機能する。
【００６４】
図５（Ａ）は、ブラック用カム部材８２の構造を示す図解図である。図５（Ｂ）は、カラー用カム部材８４の構造を示す図解図である。
【００６５】
図４および図５（Ａ）（Ｂ）に示すように、ブラック用カム部材８２とカラー用カム部材８４とは、駆動モータ６６の駆動力によって回転する単一の駆動軸７２に取り付けられ、駆動軸７２を中心に回転する。この第１実施例では、ブラック用カム部材８２およびカラー用カム部材８４のそれぞれは、正面カムである。ブラック用カム部材８２の一方の面には、環状溝８２ａが形成されており、カラー用カム部材８４の一方の面には、環状溝８４ａが形成される。環状溝８２ａおよび環状溝８４ａは、ブラック用カム部材８２またはカラー用カム部材８４の位相（回転角度）によって、駆動軸７２からの距離が変化するように曲線状に形成される。また、ブラック用カム部材８２は、環状溝８２ａが形成される面が駆動モータ６６側を向くように駆動軸７２に取り付けられる。また、カラー用カム部材８４は、環状溝８４ａが形成される面が一次転写ベルト３２側を向くように駆動軸７２に取り付けられる。つまり、ブラック用カム部材８２の環状溝８２ａが形成される面と、カラー用カム部材８４の環状溝８４ａが形成される面とは、互いに反対向きになるように構成される。
【００６６】
駆動軸７２は、一次転写ベルト３２の走行方向に直交する方向に沿って延びるように設けられ、駆動モータ６６からカップリング６８を介して駆動力を伝達されることで回転する。駆動モータ６６は、ステッピングモータ等の汎用のモータであって、上述した制御部３０によって制御される。
【００６７】
ブラック用リンク部材８６およびカラー用リンク部材８８は、長手方向が一次転写ベルト３２の走行方向と平行となるように配置され、一次転写ベルト３２の走行方向に沿って所定範囲内で移動自在である。
【００６８】
ブラック用リンク部材８６は、駆動軸７２よりもブラック用画像ステーション側に設けられる。また、ブラック用リンク部材８６に設けられた従節ピン８６ａがブラック用カム部材８２の環状溝８２ａに係合する。ブラック用カム部材８２が回転することによって、従節ピン８６ａと駆動軸７２との距離が変化し、ブラック用リンク部材８６は、従節ピン８６ａと駆動軸７２との距離に応じて、一次転写ベルト３２の走行方向に沿って移動する。
【００６９】
カラー用リンク部材８８は、駆動軸７２よりもマゼンタ用画像ステーション側に設けられており、少なくともイエロー用画像ステーションまで延びる。また、カラー用リンク部材８８に設けられた従節ピン８８ａがカラー用カム部材８４の環状溝８４ａに係合する。カラー用カム部材８４が回転することによって、従節ピン８８ａと駆動軸７２との距離が変化し、カラー用リンク部材８８は、従節ピン８８ａと駆動軸７２との距離に応じて、一次転写ベルト３２の走行方向に沿って移動する。
【００７０】
図６は、ローラ作動アーム９０の構造を示す図解図であり、（Ａ）は第１離間位置の場合を示し、（Ｂ）は第１押圧位置の場合を示す。
【００７１】
図６（Ａ）に示すように、４つのローラ作動アーム９０は、それぞれ、アーム部９０ａ、軸部９０ｂ、ローラ軸連結部９０ｃ、バネ係止部９０ｄおよび突起部９０ｅ等を有する。また、図２に示すように、ローラ作動アーム９０Ｋは、ローラ作動アーム９０Ｍ、９０Ｃ、９０Ｙに対して、左右対称に取り付けられる。
【００７２】
ブラック用リンク部材８６およびカラー用リンク部材８８のそれぞれには、Ｌ字状のアーム部９０ａの一方端が連結され、アーム部９０ａの他方端には一次転写ローラ３８の回転軸３８ａが連結される。アーム部９０ａは、一方端においては、ブラック用リンク部材８６またはカラー用リンク部材８８に突起部９０ｅによって連結され、他方端においては、一次転写ローラ３８の回転軸３８ａにローラ軸連結部９０ｃによって連結される。
【００７３】
アーム部９０ａの屈曲部には、軸部９０ｂが設けられる。軸部９０ｂは、一次転写ユニット２２の図示しないフレームに回転自在に支持される。アーム部９０ａは、軸部９０ｂを支点として傾動可能にされる。そして、アーム部９０ａがブラック用リンク部材８６またはカラー用リンク部材８８の移動に応じて傾動することによって、一次転写ローラ３８が下方向に移動する。つまり、一次転写ローラ３８が一次転写ベルト３２に対して離接する方向である第１離接方向は、上下方向である。
【００７４】
たとえば、第１離間位置では、図６（Ａ）に示すように、一次転写ローラ３８が一次転写ベルト３２から離間する。一方、第１押圧位置では、一次転写ローラ３８が一次転写ベルト３２に当接（押圧）する。
【００７５】
上述したように、ブラック用カム部材８２およびカラー用カム部材８４を駆動軸７２まわりに回転させることによって、ブラック用リンク部材８６またはカラー用リンク部材８８が移動する。そして、ブラック用リンク部材８６またはカラー用リンク部材８８が移動することによって、アーム部９０ａが傾動し、一次転写ローラ３８が下方向（第１離接方向）に移動する。したがって、ブラック用カム部材８２およびカラー用カム部材８４を所望の位置で停止させることによって、各一次転写ローラ３８を、一次転写ベルト３２に対して当接または離間させることができる。
【００７６】
なお、アーム部９０ａの一方端には、バネ係止部９０ｄが設けられており、このバネ係止部９０ｄに引張バネ９０ｚが係止される。引張バネ９０ｚは、一次転写ユニット２２の図示しないフレームに設けられたバネ取付部９０ｘに取り付けられる。そして、アーム部９０ａは、引張バネ９０ｚによって、駆動軸７２から離れる方向へ付勢される。なお、カラー用リンク部材８８には、バネ取付部９０ｘとの干渉を避けるためのスリット８８ｃが形成される。
【００７７】
図４に戻って、第２離接機構９２は、二次転写用カム部材９４および二次転写用リンク部材９６等を備える。
【００７８】
二次転写用カム部材９４は、駆動軸７２に取り付けられ、駆動軸７２を中心にブラック用カム部材８２およびカラー用カム部材８４と一緒に回転する。この第１実施例では、二次転写用カム部材９４は、正面カムである。二次転写用カム部材９４の一方の面には、環状溝９４ａが形成される。環状溝９４ａは、二次転写用カム部材９４の位相（回転角度）によって、駆動軸７２からの距離が変化するように曲線状に形成される。また、二次転写用カム部材９４は、環状溝９４ａが形成される面が駆動モータ６６側を向くように駆動軸７２に取り付けられる。つまり、二次転写用カム部材９４の環状溝９４ａが形成される面と、ブラック用カム部材８２の環状溝８２ａが形成される面とは、同じ向きになるように構成される。
【００７９】
二次転写用リンク部材９６は、具体的には、ロッド部材９６である。ロッド部材９６は、二次転写ローラ５２の回転軸５２ａに設けられた軸受５２ｂに設けられ、軸受５２ｂから二次転写用カム部材９４の環状溝９４ａに達するまで、一次転写ベルト３２の走行方向に沿って延びる棒状の部材である。また、ロッド部材９６は、一次転写ユニット２２の図示しないフレームに形成された支持部材によって、一次転写ベルト３２の走行方向に沿って摺動自在に支持される。さらに、二次転写ユニット４８は第１圧縮ばね１０８によって一次転写ベルト３２側に向かって付勢されるので、ロッド部材９６も一次転写ベルト３２側に向かって付勢される。
【００８０】
そして、ロッド部材９６には、二次転写用カム部材９４の環状溝９４ａに係合する従節ピンが設けられる。二次転写用カム部材９４が回転することによって、ロッド部材９６の従節ピンと駆動軸７２との距離が変化し、ロッド部材９６は、従節ピンと駆動軸７２との距離に応じて、一次転写ベルト３２の走行方向に沿って移動する。つまり、二次転写ユニットを一次転写ユニットに対して離接させる方向である第２離接方向は、一次転写ベルト３２の走行方向である。
【００８１】
たとえば、二次転写用カム部材９４の環状溝９４ａのうち駆動軸７２に近い位置にロッド部材９６の従節ピンがある場合には、ロッド部材９６は、駆動軸７２に近づいた位置にある。この場合、二次転写ユニット４８は、一次転写ユニット２２に当接（押圧）する位置である第２押圧位置にある。
【００８２】
一方、二次転写用カム部材９４の環状溝９４ａのうち駆動軸７２から遠い位置にロッド部材９６の従節ピンがある場合には、ロッド部材９６は、駆動軸７２から離れた位置にある。この場合、二次転写ユニット４８は、一次転写ユニット２２から離れた位置である第２離間位置にある。
【００８３】
上述したように、二次転写用カム部材９４を駆動軸７２まわりに回転させることによって、ロッド部材９６が移動する。そして、ロッド部材９６が移動することによって、二次転写ユニット４８が第２離接方向に沿って移動する。したがって、二次転写用カム部材９４を所望の位置で停止させることによって、二次転写ユニット４８を、一次転写ユニット２２に対して当接または離間させることができる。
【００８４】
以上のように構成した転写装置１０の動作モードについて説明する。まず、一次転写ユニット２２の動作モードについて説明する。
【００８５】
図７は、一次転写ユニット２２における動作モードの一例を示す表である。図７に示すように、一次転写ユニット２２の動作モードとしては、フリーモード、Ｋ印字モードおよびカラー印字モードがある。
【００８６】
フリーモードは、ブラック用一次転写ローラ３８Ｋ、マゼンタ用一次転写ローラ３８Ｍ、シアン用一次転写ローラ３８Ｃおよびイエロー用一次転写ローラ３８Ｙのそれぞれが第１離間位置にあるモードである。
【００８７】
Ｋ印字モード（モノクロ印字モード）は、原則として、ブラック用画像ステーションのみを用いて、一次転写ベルト３２上に単色画像を生成する動作モードである。したがって、Ｋ印字モードでは、ブラック用一次転写ローラ３８Ｋは、第１押圧位置にあって、一次転写ベルト３２に当接する。一方、Ｋ印字モードでは、マゼンタ用一次転写ローラ３８Ｍ、シアン用一次転写ローラ３８Ｃおよびイエロー用一次転写ローラ３８Ｙのそれぞれは、第１離間位置にある。
【００８８】
カラー印字モードは、全ての画像ステーションを用いて、一次転写ベルト３２上で多色画像を生成する動作モードである。したがって、カラー印字モードでは、ブラック用一次転写ローラ３８Ｋ、マゼンタ用一次転写ローラ３８Ｍ、シアン用一次転写ローラ３８Ｃおよびイエロー用一次転写ローラ３８Ｙのそれぞれは、第１押圧位置にある。
【００８９】
次に、転写装置１０全体の動作モードについて説明する。
【００９０】
図８は、６種類の動作モードを有する場合の転写装置１０全体の動作モードの一例を示す表である。図８に示すように、転写装置１０全体の動作モードとしては、上述した一次転写ユニット２２の動作モードであるフリーモード、Ｋ印字モードおよびカラー印字モードに加え、さらにフリーレジスト調整モード、Ｋレジスト調整モードおよびカラーレジスト調整モードがある。
【００９１】
フリーモード、Ｋ印字モードおよびカラー印字モードでは、二次転写ユニット４８は、第２押圧位置にある。一方、フリーレジスト調整モード、Ｋレジスト調整モードおよびカラーレジスト調整モードでは、二次転写ユニット４８は、第２離間位置にある。
【００９２】
なお、図８に示すように、説明の便宜上、各動作モードにモード番号を付す。第１実施例では、フリーモードがモード番号“１”、フリーレジスト調整モードがモード番号“２”、Ｋ印字モードがモード番号“３”、Ｋレジスト調整モードがモード番号“４”、カラー印字モードがモード番号“５”、カラーレジスト調整モードがモード番号“６”である。
【００９３】
以上のような動作モードを実現するためのブラック用カム部材８２、カラー用カム部材８４および二次転写用カム部材９４の一例を説明する。
【００９４】
図９（Ａ）は、６種類の動作モードを有する場合のブラック用カム部材８２の環状溝８２ａの形状を示す図解図である。図９（Ｂ）は、６種類の動作モードを有する場合のカラー用カム部材８４の環状溝８４ａの形状を示す図解図である。図９（Ｃ）は、６種類の動作モードを有する場合の二次転写用カム部材９４の環状溝９４ａの形状を示す図解図である。なお、図９（Ａ）（Ｂ）（Ｃ）に示す数字は、図８のモード番号に対応する。また、図９（Ａ）（Ｂ）に示す“当接”とは、各一次転写ローラ３８が第１押圧位置にある場合を示し、“離間”とは、各一次転写ローラ３８が第１離間位置にある場合を示す。さらに、図９（Ｃ）に示す“当接”とは、二次転写ユニット４８が第２押圧位置にある場合を示し、“離間”とは、二次転写ユニット４８が第２離間位置にある場合を示す。
【００９５】
図９（Ａ）（Ｂ）に示すように、ブラック用カム部材８２の環状溝８２ａ、カラー用カム部材８４の環状溝８４ａおよび二次転写用カム部材９４の環状溝９４ａは、６０°毎に動作モードが切り替わる。つまり、環状溝８２ａ、環状溝８４ａおよび環状溝９４ａは、６０°毎に駆動軸７２からの距離が各モードに対応する所定距離になるように設定される。
【００９６】
なお、図９は、それぞれのカム部材を環状溝が形成される側から正面視した図である。したがって、図面上は、ブラック用カム部材８２および二次転写用カム部材９４が時計回りに回転するとすれば、カラー用カム部材８４は反時計回りに回転する。これは、ブラック用カム部材８２の環状溝８２ａおよび二次転写用カム部材９４の環状溝９４ａが形成される面と、カラー用カム部材８４の環状溝８４ａが形成される面とは、反対向きに駆動軸７２に取り付けられるからである。
【００９７】
以上のように構成した転写装置１０であれば、ブラック用カム部材８２、カラー用カム部材８４および二次転写用カム部材９４を駆動軸７２まわりに回転させて、各モードに対応する位置で停止させることによって、各一次転写ローラ３８を、一次転写ベルト３２に対して当接または離間させるとともに、二次転写ユニット４８を、一次転写ユニット２２に対して当接または離間させることができる。
【００９８】
なお、第１実施例では、ブラック用カム部材８２、カラー用カム部材８４および二次転写用カム部材９４のそれぞれが正面カムである例を用いて説明したが、それぞれ他の形態のカムを用いてもよい。たとえば、ブラック用カム部材８２、カラー用カム部材８４および二次転写用カム部材９４として、両面カムや、板カム等を用いることができる。また、ブラック用カム部材８２の環状溝８２ａ、カラー用カム部材８４の環状溝８４ａおよび二次転写用カム部材９４の環状溝９４ａの形状は、特定の形状に限定されず、適宜設定されればよい。
【００９９】
さらに、第１実施例では転写装置１０が６種類の動作モードを有する場合について説明したが、これに限定される必要は無い。たとえば、転写装置１０が４種類の動作モードを有する場合でもよい。
【０１００】
図１０は、４種類の動作モードを有する場合の転写装置全体における動作モードの一例を示す表である。たとえば、図１０に示すように、転写装置１０全体の動作モードとして、レジスト調整モードを１種類のみにすることも可能である。この場合、レジスト調整モードでは、一次転写ベルト３２上の各色のトナー像のずれ量を測定するために、一次転写ユニット２２の動作モードをカラー印字モードとすることが考えられる。
【０１０１】
以上のように、この第１実施例では、複数の一次転写ローラ３８を離接させる第１離接機構８０と、二次転写ユニット４８を離接させる第２離接機構９２とが単一の駆動モータ６６からの回転力を用いる。つまり、第１離接機構８０および第２離接機構９２は同じ駆動モータ６６を共用する。このため、転写装置１０で動作モードを切り換えるための駆動モータ６６の数を減らし、製造コストの低減および装置の小型化を図ることができる。
【０１０２】
また、第１実施例によれば、第１離接機構８０および第２離接機構９２が駆動モータ６６の駆動力によって回転する単一の駆動軸７２で駆動されるので、ギヤまたは従動部材等の動力伝達部材の数を減らし、さらなる製造コストの低減および動力伝達構造の簡略化を図ることができる。
【０１０３】
さらに、第１実施例によれば、転写装置１０が、ブラック用カム部材８２、カラー用カム部材８４および二次転写用カム部材９４を含むので、駆動モータ６６からの駆動力を簡単な構造で第１離接方向または第２離接方向に変換することができ、回転力の伝達構造を簡略化することができる。
【０１０４】
加えて、第１実施例によれば、二次転写ユニット４８に設けられるロッド部材９６によって、簡単な構造で駆動軸７２から二次転写ユニット４８に駆動力を伝達できる。
［第２実施例］
第２実施例の転写装置１０は、ブラック用リンク部材８６、カラー用リンク部材８８およびロッド部材９６のうち、少なくとも二つが同一のカム部材によって駆動されるように構成される以外は、第１実施例の転写装置１０と同じであるため、上述の第１実施例と共通する部分については、同じ参照番号を付し、重複する説明は省略または簡略化する。
【０１０５】
図１１は、第２実施例における、第１離接機構８０および第２離接機構９２の構造を平面視で示す図解図である。
【０１０６】
第２実施例では、第１離接機構８０は、ブラック用カム部材８２およびカラー用カム部材８４に代えて、一次転写用カム部材１１０を備える。そして、ブラック用リンク部材８６とカラー用リンク部材８８とが同一の一次転写用カム部材１１０によって駆動されるように構成してある。つまり、ブラック用リンク部材８６とカラー用リンク部材８８とは、一次転写用カム部材１１０を共用する。
【０１０７】
一次転写用カム部材１１０は、駆動軸７２に取り付けられ、駆動軸７２を中心に回転する。この一次転写用カム部材１１０は、両面に環状溝が形成された正面カムであり、一方の面に、環状溝１１０ａが形成されており、他方の面に環状溝１１０ｂが形成される。環状溝１１０ａおよび環状溝１１０ｂは、一次転写用カム部材１１０の位相（回転角度）によって、駆動軸７２からの距離が変化するように曲線状に形成される。また、ブラック用リンク部材８６に設けられた従節ピン８６ａが環状溝１１０ａに係合しており、カラー用リンク部材８８に設けられた従節ピン８８ａが環状溝１１０ｂに係合する。したがって、ブラック用リンク部材８６およびカラー用リンク部材８８は、一次転写用カム部材１１０が回転することによって、環状溝１１０ａまたは環状溝１１０ｂの形状に合わせて一次転写ベルト３２の走行方向に沿って移動する。
【０１０８】
以上のように構成した転写装置１０であれば、一次転写用カム部材１１０および二次転写用カム部材９４をその駆動軸７２まわりに回転させて、各モードに対応する位置で停止させることによって、各一次転写ローラ３８を、一次転写ベルト３２に対して当接または離間させるとともに、二次転写ユニット４８を、一次転写ユニット２２に対して当接または離間させることができる。
【０１０９】
なお、上記の構成の他に、ブラック用リンク部材８６とロッド部材９６とが同一のカム部材によって駆動されるようにしても良いし、カラー用リンク部材８８とロッド部材９６とが同一のカム部材によって駆動されるようにしても良い。
【０１１０】
この第２実施例では、第１実施例と同様の作用効果を奏することに加えて、ブラック用リンク部材８６、カラー用リンク部材８８およびロッド部材９６のうち、少なくとも二つが同一のカム部材によって駆動される。このため、カム部材の数を減らし、さらなる製造コストの低減および動力伝達構造の簡略化を図ることができる。また、カム部材の数が少なくなるため、一次転写ローラ３８または二次転写ユニット４８の離接動作の際の位置ずれが少なくなる。
［第３実施例］
第３実施例は、ブラック用カム部材８２およびカラー用カム部材８４と、二次転写用カム部材９４とが、それぞれ回転規制方向の異なるワンウェイクラッチを介して駆動軸７２に取り付けられる以外は、第２実施例の構成と同じであるため、上述の第２実施例と共通する部分については、同じ参照番号を付し、重複する説明は省略または簡略化する。
【０１１１】
図１２は、第３実施例における、第１離接機構８０および第２離接機構９２の構造を平面視で示す図解図である。
【０１１２】
第３実施例では、図１２に示すように、一次転写用カム部材１１０が、一方向にのみ回転する一次転写用ワンウェイクラッチ１１２を介して駆動軸７２に取り付けられる。また、二次転写用カム部材９４が、一次転写用ワンウェイクラッチ１１２が回転する方向の逆方向にのみ回転する二次転写用ワンウェイクラッチ１１４を介して駆動軸７２に取り付けられる。
【０１１３】
このような構成であれば、一次転写用ワンウェイクラッチ１１２が回転する方向を正回転、二次転写用ワンウェイクラッチ１１４が回転する方向を逆回転としたときに、駆動モータ６６を正回転させた場合、一次転写用カム部材１１０は回転するが、二次転写用カム部材９４は回転しない（空転する）。一方、駆動モータ６６を逆回転させた場合、二次転写用カム部材９４は回転するが、一次転写用カム部材１１０は回転しない（空転する）。
【０１１４】
図１３は、第３実施例における、転写装置全体における動作モードを示す表である。
【０１１５】
以上のように構成した転写装置１０の動作モードについて説明する。図１３に示すように、駆動モータ６６を正回転させた場合、二次転写用カム部材９４を止めたまま、一次転写用カム部材１１０を駆動軸７２まわりに回転させ、また所望の位置で停止させることによって、各一次転写ローラ３８を、一次転写ベルト３２に対して当接または離間させることができる。つまり、一次転写側だけ動作モードを切り換えることができる。一方、駆動モータ６６を逆回転させた場合、一次転写用カム部材１１０を止めたまま、二次転写用カム部材９４を駆動軸７２まわりに回転させ、また所望の位置で停止させることによって、二次転写ユニット４８を、一次転写ユニット２２に対して当接または離間させることができる。つまり、二次転写側だけ動作モードを切り換えることができる。
【０１１６】
この第３実施例では、ブラック用カム部材８２およびカラー用カム部材８４と、二次転写用カム部材９４とが、それぞれ回転規制方向の異なるワンウェイクラッチを介して駆動モータ６６に接続される。このため、駆動モータ６６の回転方向を切り換えるだけで、容易に動作モードの切り換えを行うことができる。
【０１１７】
なお、第３実施例に示した態様は、第１実施例にも組み合わせて採用することが可能である。
【０１１８】
また、二次転写用カム部材９４が駆動軸７２に取り付けられている例について説明したが、これに限定される必要は無い。たとえば、二次転写用カム部材９４は、駆動軸７２にギヤまたはベルト等の動力伝達部材を介して接続され、駆動モータ６６の駆動力によって回転する別の駆動軸に取り付けられていてもよい。
【０１１９】
以上説明したように、本発明を具体的な実施例に則して説明したが、本発明は上述の実施例に限定されるものではない。上で挙げた具体的な実施例は、いずれも単なる一例であり、製品の仕様などの必要に応じて適宜変更可能である。
【符号の説明】
【０１２０】
１００…画像形成装置
１０  …転写装置
２２  …一次転写ユニット
４８  …二次転写ユニット
６６  …駆動モータ
８０  …第１離接機構
９２  …第２離接機構
【図１】
2016148708.tif 000003
【図２】
2016148708.tif 000004
【図３】
2016148708.tif 000005
【図４】
2016148708.tif 000006
【図５】
2016148708.tif 000007
【図６】
2016148708.tif 000008
【図７】
2016148708.tif 000009
【図８】
2016148708.tif 000010
【図９】
2016148708.tif 000011
【図１０】
2016148708.tif 000012
【図１１】
2016148708.tif 000013
【図１２】
2016148708.tif 000014
【図１３】
2016148708.tif 000015
【図１４】
2016148708.tif 000016